(57)【要約】【課題】ＰＴＰシートから内容物を取り出す際に、内容物を破損することなく、確実かつ容易に取り出すことを可能とする。【解決手段】ＰＴＰシートを包装するＰＴＰシート用包装体１０であって、ＰＴＰシートの収容凸部が保持される保持穴３ａを有する保持板３と、保持板３と折線Ａ，Ｂを介して連接され、保持穴３ａに保持されたＰＴＰシートの収容凸部を挟んで保持板３と対峙する位置に折り曲げられる保護板１と、保護板１と主折線Ｅ，Ｆを介して連接され、保持板３と重なる位置に折り曲げられる開封板７と、を備え、開封板７には、ＰＴＰシートの収容凸部の開口部に対峙する位置に、ＰＴＰシートの被覆シートを開封自在な押し込み部７２が形成されている。【選択図】図１
2018062354.tif 000002
【特許請求の範囲】
【請求項１】
内容物が収容される収容凸部を有する収容シートと、前記収容凸部の開口部を被覆する被覆シートとを備えたＰＴＰシートを包装するＰＴＰシート用包装体であって、
前記収容凸部を保持する保持穴を有する保持板と、
前記保持板と折線を介して連接され、前記保持穴に保持された前記収容凸部を挟んで前記保持板と対峙する位置に折り曲げられている保護板と、
前記保護板と主折線を介して連接され、前記保持板と重なる位置に折り曲げられている開封板と、を備え、
前記開封板には、前記収容凸部の開口部に対峙する位置に、前記被覆シートを開封自在な押し込み部が形成されていることを特徴とするＰＴＰシート用包装体。
【請求項２】
請求項１に記載のＰＴＰシート用包装体であって、
前記押し込み部には、前記収容凸部に押し込んで前記被覆シートを破断する開封補助片が設けられていることを特徴とするＰＴＰシート用包装体。
【請求項３】
請求項２に記載のＰＴＰシート用包装体であって、
前記開封補助片は、前記収容凸部に押し込むことで破断した前記被覆シートの破断片を、前記開封補助片の引き出しとともに引き出せる構成であることを特徴とするＰＴＰシート用包装体。
【請求項４】
請求項３に記載のＰＴＰシート用包装体であって、
前記押し込み部には、前記収容凸部に押し込んだ前記開封補助片を引き出すための引掛片が設けられていることを特徴とするＰＴＰシート用包装体。
【請求項５】
請求項１に記載のＰＴＰシート用包装体であって、
前記開封板には、
前記開封板を前記主折線と直交する方向に沿って複数の区画に分割する副折線と、
前記副折線に沿って折り曲げることにより前記副折線の少なくとも一端部から突出する係合片と、が設けられ、
前記保持板には、
前記係合片が突出された状態で差込まれて係合する係合部が設けられていることを特徴とするＰＴＰシート用包装体。
【請求項６】
請求項５に記載のＰＴＰシート用包装体であって、
前記係合片には、前記主折線に直交する方向に沿って延設された補強リブを備えており、前記補強リブは、前記係合片からさらに延長して設けられていることを特徴とするＰＴＰシート用包装体。
【請求項７】
請求項１に記載のＰＴＰシート用包装体であって、
前記保持板と前記保護板とは、２つの側板を介して断面箱状に連接されており、
前記保持板と前記保護板と前記両側板とで形成される開口部に折り込まれるフラップ片が、前記保持板の縁部に折線を介して連接されていることを特徴とするＰＴＰシート用包装体。
【請求項８】
内容物が収容される収容凸部を有する収容シートと、前記収容凸部の開口部を被覆する被覆シートとを備えたＰＴＰシートを包装するＰＴＰシート用包装体の展開シートであって、
前記ＰＴＰシートの前記収容シートと対峙する保護板と、
前記保護板の一方向の一方の縁部に第１折線を介して連接された第１側板と、
前記第１側板の前記一方向の一方の縁部に第２折線を介して連接された前記ＰＴＰシートの前記被覆シートと対峙する保持板と、
前記保持板の前記一方向の一方の縁部に第３折線を介して連接された第２側板と、
第２側板の前記一方向の一方の縁部に第４折線を介して連接された糊代片と、
前記保護板の前記一方向に直交する他方向の一方の縁部に第５折線を介して連接された第３側板と、
前記第３側板の前記他方向の一方の縁部に第６折線を介して連接された前記ＰＴＰシートの前記被覆シートと対峙する開封板と、
前記開封板の前記他方向の一方の縁部に第７折線を介して連接された第４側板と、
前記第４側板の前記他方向の一方の縁部に第８折線を介して連接された差込板と、を備え、
前記保持板には、前記ＰＴＰシートの前記収容凸部が保持される保持穴が形成され、
前記開封板には、前記収容凸部の開口部に対峙する位置に、前記被覆シートを破断する開封補助片が形成されていることを特徴とする展開シート。
【発明の詳細な説明】
【技術分野】
【０００１】
本発明は、内容物が収容される収容凸部を有するＰＴＰシートを包装するＰＴＰシート用包装体に係り、より詳細には、内容物をＰＴＰシートから取り出す際に、内容物を破損することなく、かつ容易に取り出すことのできるＰＴＰシート用包装体及びその展開シートに関する。
【背景技術】
【０００２】
従来から、ＰＴＰシートに収容されている内容物（錠剤やカプセル剤等）を安全に収容し、取り出しも容易としたＰＴＰシート収容体が提案されている（例えば、特許文献１参照）。
【０００３】
特許文献１に記載の包装用箱（ＰＴＰシート用包装体）は、ＰＴＰシートを収容する箱体に、ＰＴＰシートの収容凸部（突出部）が差し込まれる挿通穴が形成され、箱体内に収容されたＰＴＰシートの収容凸部（突出部）を挿通穴に差し込んで突出させた状態で、ＰＴＰシートの収容凸部（突出部）を被覆するカバー片が箱体に形成されている。
【０００４】
特許文献１に記載の包装用箱によれば、ＰＴＰシートを覆うカバー片が設けられているため、運搬中等に不用意に内容物が押し出されないようになっている。
【０００５】
このように、ＰＴＰシートの収容凸部（突出部）を被覆するカバー片を備えたＰＴＰシート用包装体は、この他にも種々のものが提案されている。
【先行技術文献】
【特許文献】
【０００６】
【特許文献１】特開２０１６−１３８４０号公報
【発明の概要】
【発明が解決しようとする課題】
【０００７】
しかし、上記特許文献１に記載の包装用箱を始め、カバー片を備えた従来のＰＴＰシート用包装体では、内容物を取り出すときにはカバー片を開き、ＰＴＰシートの収容凸部（突出部）を直接押し込むことで、収容凸部（突起部）に収容されている内容物をＰＴＰシート裏面の被覆シートに押し当て、内容物によって被覆シートを直接破断して取り出すようになっている。
【０００８】
ところで、内容物が錠剤等である場合には、被覆シートへの内容物の押し当てによって錠剤が破損することはあまりないが、粉末または液体の薬剤がカプセル容器に入っているような場合には、収容凸部の押し込みによってカプセル容器が破損し、内部の薬剤がこぼれる若しくは飛散してしまうといった問題があった。
【０００９】
このようなカプセル入りの薬剤として例えば抗がん剤や免疫抑制剤、ホルモン剤といった高薬理活性薬物がよく知られている。このような高薬理活性薬物は、患者にとっては有効であっても、健康な者にとっては有害な薬剤である場合がある。従って、周辺環境等を考慮すれば、その薬剤入りカプセル容器が取り出しの際に破損し、薬剤がこぼれたり飛散したりすることは避けなければならない。
【００１０】
そのためには、薬剤入りのカプセル容器の取り出し手法を見直す必要があるが、従来、有効な取り出し手法は提案されていないのが実情である。
【００１１】
本発明はかかる実情に鑑みて創案されたもので、その目的は、ＰＴＰシートから内容物を取り出す際に、内容物を破損することなく、かつ容易に取り出すことのできるＰＴＰシート用包装体及びその展開シートを提供することにある。
【課題を解決するための手段】
【００１２】
上記課題を解決するため、本発明のＰＴＰシート用包装体は、内容物が収容される収容凸部を有する収容シートと、前記収容凸部の開口部を被覆する被覆シートとを備えたＰＴＰシートを包装するＰＴＰシート用包装体であって、前記収容凸部を保持する保持穴を有する保持板と、前記保持板と折線を介して連接され、前記保持穴に保持された前記収容凸部を挟んで前記保持板と対峙する位置に折り曲げられている保護板と、前記保護板と主折線を介して連接され、前記保持板と重なる位置に折り曲げられている開封板と、を備え、前記開封板には、前記収容凸部の開口部に対峙する位置に、前記被覆シートを開封自在な押し込み部が形成されていることを特徴としている。
【００１３】
本発明によれば、内容物を取り出す際、ＰＴＰシートの収容凸部を保護板によって押し込みできないように保護する一方、開封板の押し込み部を押し込むことで被覆シートを破断（開封）する構成としている。これにより、ＰＴＰシートの収容凸部を直接押し込んで、内容物により被覆シートを直接破断することがないので、内容物の破損、特に内容物がカプセル剤である場合のカプセル容器の破損を防止することができる。
【００１４】
また、本発明のＰＴＰシート用包装体によれば、前記押し込み部には、前記収容凸部に押し込んで前記被覆シートを破断する開封補助片が設けられた構成としてもよい。
【００１５】
この構成によれは、開封補助片を設けることで、被覆シートを確実に破断（開封）することができる。
【００１６】
また、本発明のＰＴＰシート用包装体によれば、前記開封補助片は、前記収容凸部に押し込むことで破断した前記被覆シートの破断片を、前記開封補助片の引き出しとともに引き出せる構成としてもよい。
【００１７】
この構成によれば、開封補助片を引き出すだけで被覆シートの破断片も引き出され、収容凸部が開放されるので、内容物の取り出しが容易となる。
【００１８】
また、本発明のＰＴＰシート用包装体によれば、前記押し込み部には、前記収容凸部に押し込んだ前記開封補助片を引き出すための引掛片が設けられた構成としてもよい。
【００１９】
この構成によれば、開封補助片及び被覆シートの破断片の引き出しがより容易となる。
【００２０】
また、本発明のＰＴＰシート用包装体によれば、前記開封板には、前記開封板を前記主折線と直交する方向に沿って複数の区画に分割する副折線と、前記副折線に沿って折り曲げることにより前記副折線の少なくとも一端部から突出する係合片と、が設けられ、前記保持板には、前記係合片が突出された状態で差込まれて係合する係合部が設けられた構成としてもよい。
【００２１】
この構成によれば、開封板を副折線に沿って折り曲げるだけで副折線から係合片を突出させることができるとともに、突出された係合片を係合部に差込むことで開封板と保持板とを係合させることができるので、係合作業を容易に行うことができる。また、係合作業を従来よりも容易に行うことができるため、当該係合作業を繰り返し行っても係合片の折れ曲がりや破損を生じにくくすることができる。
【００２２】
また、本発明のＰＴＰシート用包装体によれば、前記係合片には、前記主折線に直交する方向に沿って延設された補強リブを備えており、前記補強リブは、前記係合片からさらに延長して設けられた構成としてもよい。
【００２３】
この構成によれば、係合片を係合部に差込むことで開封板と保持板とを係合させる係合作業を繰り返し行っても係合片の折れ曲がりや破損を生じにくくすることができる。
【００２４】
また、本発明のＰＴＰシート用包装体によれば、前記保持板と前記保護板とは、２つの側板を介して断面箱状に連接されており、前記保持板と前記保護板と前記両側板とで形成される開口部に折り込まれるフラップ片が、前記保持板の縁部に折線を介して連接された構成としてもよい。
【００２５】
また、本発明の展開シートは、内容物が収容される収容凸部を有する収容シートと、前記収容凸部の開口部を被覆する被覆シートとを備えたＰＴＰシートを包装するＰＴＰシート用包装体の展開シートであって、前記ＰＴＰシートの前記収容シートと対峙する保護板と、前記保護板の一方向の一方の縁部に第１折線を介して連接された第１側板と、前記第１側板の前記一方向の一方の縁部に第２折線を介して連接された前記ＰＴＰシートの前記被覆シートと対峙する保持板と、前記保持板の前記一方向の一方の縁部に第３折線を介して連接された第２側板と、第２側板の前記一方向の一方の縁部に第４折線を介して連接された糊代片と、前記保護板の前記一方向に直交する他方向の一方の縁部に第５折線を介して連接された第３側板と、前記第３側板の前記他方向の一方の縁部に第６折線を介して連接された前記ＰＴＰシートの前記被覆シートと対峙する開封板と、前記開封板の前記他方向の一方の縁部に第７折線を介して連接された第４側板と、前記第４側板の前記他方向の一方の縁部に第８折線を介して連接された差込板と、を備え、前記保持板には、前記ＰＴＰシートの前記収容凸部が保持される保持穴が形成され、前記開封板には、前記収容凸部の開口部に対峙する位置に、前記被覆シートを破断する開封補助片が形成されていることを特徴としている。
【００２６】
このような構成の展開シートによれば、内容物を取り出す際、ＰＴＰシートの収容凸部を保護板によって押し込みできないように保護する一方、押し込み部を押し込むことで被覆シートを破断（開封）する構成のＰＴＰシート用包装体を作製することができる。
【発明の効果】
【００２７】
本発明のＰＴＰシート用包装体及びその展開シートによれば、ＰＴＰシートの収容凸部から内容物を取り出す際、収容凸部を保護板によって押し込みできないように保護する一方、押し込み部を押し込むことで被覆シートを破断して開封することができる。これにより、ＰＴＰシートの収容凸部を直接押し込んで、内容物により被覆シートを直接破断することがないので、内容物の破損、特に内容物がカプセル剤である場合のカプセル容器の破損を防止することができる。
【図面の簡単な説明】
【００２８】
【図１】本発明の実施形態１に係るＰＴＰシート用包装体を展開した状態の展開シートの平面図である。
【図２Ａ】ＰＴＰシートを斜め上方からの視点で示す斜視図である。
【図２Ｂ】ＰＴＰシートを斜め上方からの視点で示す斜視図である。
【図３】押し込み部に形成された開封補助片を含む周辺部を拡大して示す平面図である。
【図４】展開シートからＰＴＰシートを完全に包装するまでの組立及び包装手順を説明するための平面図である。
【図５】展開シートからＰＴＰシートを完全に包装するまでの組立及び包装手順を説明するための平面図である。
【図６】展開シートからＰＴＰシートを完全に包装するまでの組立及び包装手順を説明するための平面図である。
【図７】展開シートからＰＴＰシートを完全に包装するまでの組立及び包装手順を説明するための断面図である。
【図８】展開シートからＰＴＰシートを完全に包装するまでの組立及び包装手順を説明するための断面図である。
【図９】展開シートからＰＴＰシートを完全に包装するまでの組立及び包装手順を説明するための断面図である。
【図１０】展開シートからＰＴＰシートを完全に包装するまでの組立及び包装手順を説明するための断面図である。
【図１１】展開シートからＰＴＰシートを完全に包装するまでの組立及び包装手順を説明するための断面図である。
【図１２】展開シートからＰＴＰシートを完全に包装するまでの組立及び包装手順を説明するための平面図である。
【図１３】展開シートからＰＴＰシートを完全に包装するまでの組立及び包装手順を説明するための平面図である。
【図１４】ＰＴＰシート用包装体から内容物を取り出す手順を説明するための平面図である。
【図１５Ａ】ＰＴＰシート用包装体から内容物を取り出す手順を説明するための平面図である。
【図１５Ｂ】図１５ＡのＶ−Ｖ線断面図である。
【図１６Ａ】ＰＴＰシート用包装体から内容物を取り出す手順を説明するための平面図である。
【図１６Ｂ】図１６ＡのＷ−Ｗ線断面図である。
【図１７Ａ】ＰＴＰシート用包装体から内容物を取り出す手順を説明するための平面図である。
【図１７Ｂ】図１７ＡのＸ−Ｘ線断面図である。
【図１８】本発明の実施形態１に係るＰＴＰシート用包装体を展開した状態の展開シートの平面図である。
【図１９】展開シートからＰＴＰシートを完全に包装するまでの組立及び包装手順を説明するための平面図である。
【図２０】展開シートからＰＴＰシートを完全に包装するまでの組立及び包装手順を説明するための平面図である。
【図２１】図２０のＹ−Ｙ線断面図である。
【発明を実施するための形態】
【００２９】
以下、本発明の実施の形態について、図面を参照して説明する。
【００３０】
−実施形態１−
＜展開シートの説明＞
図１は、本発明の実施形態１に係るＰＴＰシート用包装体１０を展開した状態の展開シートＳの平面図である。
【００３１】
この展開シートＳは、内容物を収容したＰＴＰ（Press Through Package）シートを保持する保持板３、保護板１、及び開封板７等を備えて構成されている。ＰＴＰシート８０の内容物は、実施形態１では粉末薬剤等をカプセル容器に封入したカプセル剤である。ＰＴＰシート８０は、図２Ａ及び図２Ｂに示すように平面視が略長方形状に形成されている。従って、保護板１、保持板３、及び開封板７等も略長方形状に形成されている。
【００３２】
図２Ａ及び図２Ｂは、ＰＴＰシート８０を斜め上方からの視点で示す斜視図である。
【００３３】
図２Ａ及び図２Ｂに示すように、ＰＴＰシート８０は、ポリ塩化ビニルやポリプロピレン等のプラスチックシートからなる収容シート８１と、容易に破断することができる金属箔、例えばアルミ箔からなる被覆シート８２と、医薬品であるカプセル剤８３とから構成され、ヒートシールされた収容シート８１及び被覆シート８２によって略長方形状のＰＴＰ台紙８４が形成されている。そして、収容シート８１に成形によって所定深さの複数個の収容凸部８１ａが形成され、それぞれの収容凸部８１ａにカプセル剤８３が収容された構成となっている。
【００３４】
ただし、図２Ａは、収容凸部８１ａを１列３行の３個形成したＰＴＰシート８０を例示しており、図２Ｂは、収容凸部８１ａを２列３行の６個形成したＰＴＰシート８０を例示している。実施形態１では、図２Ａに示す１列３行のＰＴＰシート８０を包装するＰＴＰシート用包装体として説明する。
【００３５】
図１に戻って、この展開シートＳは、ＰＴＰシート８０の収容シート８１と対峙する保護板１と、保護板１の一方向（以下、この明細書において横方向と定義する。）の一方の縁部に第１折線Ａを介して連接された第１側板２と、第１側板２の横方向の一方の縁部に第２折線Ｂを介して連接されたＰＴＰシート８０の被覆シート８２と対峙する保持板３と、保持板３の横方向の一方の縁部に第３折線Ｃを介して連接された第２側板４と、第２側板４の横方向の一方の縁部に第４折線Ｄを介して連接された糊代片５とを備えている。
【００３６】
また、保護板１の前記一方向に直交する他方向（以下、この明細書において縦方向と定義する。）の一方の縁部に第５折線Ｅを介して連接された第３側板６と、第３側板６の縦方向の一方の縁部に第６折線（請求項に記載の主折線に相当）Ｆを介して連接されたＰＴＰシート８０の被覆シート８２と対峙する開封板７と、開封板７の縦方向の一方の縁部に第７折線Ｇを介して連接された第４側板８と、第４側板８の縦方向の一方の縁部に第８折線Ｈを介して連接された差込板９と、を備えて構成されている。
【００３７】
保護板１には、後述する差込板９の差込片９１を差し込む略半月形状（若しくは三日月形状）の差込孔１１が形成されている。差込孔１１の両端部には切込線（スリット）１１ａが形成されており、差込孔１１から差し込まれた差込片９１の抜けを、この切込線１１ａによって形成された係止片１２によって防止する構成とされている。
【００３８】
保持板３には、ＰＴＰシート８０の各収容凸部８１ａが嵌入保持される複数の保持穴３ａが形成されている。図示例では、図２に示すＰＴＰシート８０の各収容凸部８１ａに合わせて３つの保持穴３ａが形成されている。
【００３９】
また、保持板３には、開封板７に設けられた後述する係合片７１が差し込まれて係合する係合穴３１が形成されている。図示例では、係合穴３１は、隣接する保持穴３ａ間の左右両側の４箇所の位置にそれぞれ形成されている。係合穴３１の大きさは、係合片７１が繰り返し差し込まれても該係合片７１が折れ曲がることがない程度の大きさに形成されている。
【００４０】
さらに、保持板３の上縁部には、左右一対のフラップ片３２が副折線Ｂ１を介して連接されている。
【００４１】
開封板７には、ＰＴＰシート８０の各収容凸部８１ａの開口部に対峙する位置に、被覆シート８２を開封自在な開封補助片７３を備えた押し込み部７２が形成されている。図示例では、図２に示すＰＴＰシート８０の各収容凸部８１ａに合わせて３つの押し込み部７２が形成されている。
【００４２】
また、開封板７には、主折線である第６折線Ｆと直交する方向に沿って複数の区画に分割する副折線Ｆ１が形成されている。図示例では、２つの副折線Ｆ１によって３つの区画に分割されている。
【００４３】
また、各副折線Ｆ１の両端部には、副折線Ｆ１から保護板１側に突出する係合片７１が形成されている。この係合片７１は、開封板７を保持板３上に折り重ねたとき、保持板３の各係合穴３１にそれぞれ対峙する位置に形成されている。この係合片７１には、第６折線Ｆと直交する方向に沿って延設された補強リブ７１ａが形成されており、この補強リブ７１ａは、係合片７１からさらに延長して設けられている。実施形態１では、この補強リブ７１ａは、展開シートＳに断面略Ｖ字状の突起部若しくは溝部を筋状に形成することで形成されている。また、係合片７１の幅は、係合穴３１の幅と略同幅（より好ましくは若干幅狭）に形成されている。
【００４４】
図３は、押し込み部７２に形成された開封補助片７３を含む周辺部を拡大して示す平面図である。
【００４５】
押し込み部７２は、横長の略楕円形状に形成された開封補助片７３と、開封補助片７３の上部に指先等を差し込んで開封するための横長の開口部７４とを備えて構成されている。開封補助片７３は、この開口部７４と反対側の下辺７３ａが折線Ｊを介して開封板７に連接されており、折線Ｊの両端部から連続する略半円弧状の部分が切取線Ｋを介して開封板７に連接されている。
【００４６】
また、開封補助片７３の中央部には、折線Ｊと平行に折線Ｌが形成されており、折線Ｌの幅方向の中央部には、折線Ｌに連続して開口部７４側に突出した引掛片７５が形成されている。この引掛片７５は、図示例では半円弧形状に形成されているが、例えば方形状等でも良く、指が引っ掛かる形状であればどのような形状であってもよい。
【００４７】
さらに、開口部７４の左右両側の下端部から折線Ｌに向かって一対の切取線Ｍが形成されており、切取線Ｍの下端部から、開口部７４の下辺を構成する開封補助片７３の上辺７３ｂの幅方向中央部に向かって略三角状に折線Ｎが形成されている。ここで、実施形態１では、中央部の折線Ｌを介して開口部７４側の開封補助片７３を第１開封補助片７３１とし、折線Ｊ側の開封補助片７３を第２開封補助片７３２とする。
【００４８】
なお、実施形態１では、切取線Ｋは、複数の切込溝と、隣接する切込溝を連接する１または複数の連接点とで構成されている。具体的に説明すると、図３に示す例では、折線Ｊの端部から切り込まれた長い第１切込溝Ｋ１１と、開口部７４の端部から切り込まれた長い第２切込溝Ｋ１２と、第１切込溝Ｋ１１の端部と第２切込溝Ｋ１２の端部とを容易に破断可能に連接する中央連接点Ｋ２１と、開口部７４の端部と第２切込溝Ｋ１２の他方の端部とを容易に破断可能に連接する端部連接点Ｋ２２とで構成されている。中央連接点Ｋ２１は、折線Ｌの端部に位置するように形成されている。
【００４９】
すなわち、左右の切取線Ｋは、中央連接点Ｋ２１と端部連接点Ｋ２２の２点のみで開封板７に連接されており、大部分は第１切込溝Ｋ１１と第２切込溝Ｋ１２とによって開封板７から元々切り離されている。これにより、切取線Ｋを通常のミシン目状の切取線にした場合に比べて、より切り取り易い構造となっている。そのため、指を押し込む力の弱いお年寄り等でも、開封補助片７３を容易に開封することが可能となっている。
【００５０】
なお、実施形態１では、切取線Ｋを、２つの切込溝と２つの連接点とによる構成としているが、切込溝及び連接点の数はこれら２つに限定されるものではない。また、連接点を設ける位置も、中央部と端部に限定されるものではなく、開封補助片７３の形状や連接部分の長さ等に応じて任意の位置に設ければよい。
【００５１】
また、切取線Ｍについては、その全体が切込溝となっていてもよい。
【００５２】
差込板９には、保護板１の差込孔１１に差込可能な差込片９１が形成されている。差込片９１は、外方側（開封板７と反対側）に向かって先細り状に形成されており、その先端部が略Ｔ字形状に形成されている。そして、差込片９１の幅は保護板１の差込孔１１の切込線１１ａの両先端間の幅と略同幅（より好ましくは若干幅狭）に形成されており、差込片９１のくびれ部分の幅は、差込孔１１の幅と略同幅（より好ましくは若干幅狭）に形成されている。
【００５３】
なお、ここで図示した差込孔１１の形状及び差込片９１の形状は、このような形状に限定されるものではなく、従来周知の種々の差込係合構造とすることができる。
【００５４】
＜ＰＴＰシート用包装体１０の組立及び包装手順の説明＞
次に、ＰＴＰシート用包装体１０の組立及び包装手順、すなわち、図１に示す展開シートＳの状態からＰＴＰシート８０を完全に包装するまでの手順について、図４乃至図１３を参照して説明する。ただし、図４乃至図６は、ＰＴＰシート用包装体１０の組立手順を示す平面図、図７乃至図１１はＰＴＰシート用包装体１０にＰＴＰシート８０を包装する手順を示す断面図、図１２及び図１３は、ＰＴＰシート用包装体１０の包装手順を示す平面図である。
【００５５】
なお、実施形態１では、図１に示す展開図は内面側を上にして展開した状態を示している。従って、この状態から図面手前側に折る方向（すなわち、内面側に折る方向）を内折り、図面奥側に折る方向（すなわち外面側に折る方向）を外折りと定義して、以下説明する。
【００５６】
まず、図１に示す展開状態から、第１折線Ａ及び第２折線Ｂを略９０度内折りして保持板３を保護板１上に対峙させ（図４参照）、さらに、第３折線Ｃ及び第４折線Ｄを略９０度内折りして、糊代片５を保護板１の他方の側縁部に内側から重ね合わせる。そして、その重ね合わせ部分を糊等の接着材で接着固定することで、保護板１、第１側板２、保持板３、及び第２側板４によって扁平で四角い筒形状のＰＴＰシート保持体部１０ａを組み立てる（図５参照）。
【００５７】
次に、ＰＴＰシート８０の収容凸部８１ａを保持板３の保持穴３ａに嵌入保持させた状態（つまり、被覆シート８２側を露出させた状態）で、保持板３上に載置する（図６参照）。
【００５８】
次に、開封板７を主折線である第５折線Ｅ及び第６折線Ｆで図７に示す状態に内折りし、この状態で、第６折線Ｆに近い側の副折線Ｆ１に沿って保持板３から離れる方向に向けて開封板７を外折りして、副折線Ｆ１から係合片７１を突出させる（図８参照）。この状態で保持板３の係合穴３１に係合片７１を差し込む（図９参照）。その後、副折線Ｆ１に沿って外折りされた開封板７を当該副折線Ｆ１に沿って曲げ戻す（内折りする）ことによって、係合片７１と係合穴３１とが係合する（図１０参照）。このような係合作業を、次の副折線Ｆ１についても行うことにより、開封板７と保持板３とでＰＴＰシート８０を挟持した状態で、開封板７と保持板３とが係合される（図１１及び図１２参照）。
【００５９】
この場合、係合片７１には補強リブ７１ａが形成されているので、係合作業を繰り返しても、係合片７１の折れ曲がりや破損が生じにくい構造となっている。
【００６０】
次に、差込板９を第７折線Ｇ及び第８折線Ｈに沿って保護板１の背面と当接するように内折りするとともに、補助折線Ｉをくの字状（山形状）に折り曲げて、差込片９１を差込孔１１に差し込む（図１３参照）。これにより、開封板７と保護板１とを確実に係合させることができる。この場合、差込板９を第７折線Ｇ及び第８折線Ｈに沿って保護板１の背面と当接するように内折りするときに、差込板９と共にフラップ片３２も同時に内折りできるので、フラップ片３２の折り込み手順を省略することができる。
【００６１】
なお、上記した包装手順と逆の手順を踏むことによって、係合された保持板３と開封板７との係合状態を解除することも可能である。
【００６２】
本発明のＰＴＰシート用包装体１０によれば、ＰＴＰシート８０の収容凸部８１ａが保護板１によって完全に保護されている。従って、内容物の取り出しに際し、収容凸部８１ａを押し込んで内容物を取り出すといった操作ができないようになっている。そのため、内容物を被覆シート８２に直接押し当てて破断することがないので、内容物の破損、特にカプセル容器が破損して薬剤がこぼれる若しくは飛散するといった事態の発生を防止することができる。
【００６３】
＜ＰＴＰシート用包装体１０からＰＴＰシート８０の内容物を取り出す手順の説明＞
次に、上記のようにしてＰＴＰシート８０が包装されたＰＴＰシート用包装体１０から内容物を取り出す手順について、図１４乃至図１７を参照して説明する。ただし、図１４はＰＴＰシート用包装体１０の平面図、図１５ＡはＰＴＰシート用包装体１０の平面図、図１５Ｂは、図１５ＡのＶ−Ｖ線断面図、図１６Ａは、ＰＴＰシート用包装体１０の平面図、図１６Ｂは、図１６ＡのＷ−Ｗ線断面図、図１７Ａは、ＰＴＰシート用包装体１０の平面図、図１７Ｂは、図１７ＡのＸ−Ｘ線断面図である。
【００６４】
本発明では、ＰＴＰシート８０の被覆シート８２側からＰＴＰシート用包装体１０の開封補助片７３を押し込むことで被覆シート８２を開封する構造としている。
【００６５】
すなわち、図１４に示す状態から開口部７４に指先を入れるようにして、図１５Ａ及び図１５Ｂに示すように、開封補助片７３の上辺７３ｂを下方（すなわち、収容凸部８１ａ内）に押し込むことで、開封補助片７３が切取線Ｋ，Ｍで破断され、第１開封補助片７３１が折線Ｌで内折りに折り曲げられて収容凸部８１ａ内に折り曲げられる。
【００６６】
このとき、図１５Ｂに示すように、第１開封補助片７３１は、略Ｖ字状に形成されている折線Ｎが、押し込んでいる指先に沿って若干内側にＶ字状に折れ曲がるように屈曲する。その結果、収容凸部８１ａの開口部を被覆していた被覆シート８２が容易に破断され、その破断片８２ａが第１開封補助片７３１によって収容凸部８１ａ内に押し込まれる。この押し込みにより、カプセル剤８３が第２開封補助片７３２の下側に押し寄せられる。
【００６７】
次に、押し込んだ指先を第２開封補助片７３２の引掛片７５に引っ掛けるようにして、開封補助片７３全体を引き起こす（図１６Ａ，図１６Ｂ参照）。
【００６８】
このとき、第２開封補助片７３２が折線Ｊを介して折り起こされ、この折り起こされた第２開封補助片７３２に第１開封補助片７３１が引き寄せられるように接近し、第１開封補助片７３１と第２開封補助片７３２との間に被覆シート８２の破断片８２ａが挟持された状態となって、破断片８２ａも引き起こされる。この引き起こし操作（開封操作）では、第１開封補助片７３１及び破断片８２ａは、第２開封補助片７３２の下側に押し寄せられていたカプセル剤８３の周側面に沿って回動するように引き起こされるので、カプセル剤８３が収容凸部８１ａの内面に強く押し付けられることはない。従って、この開封操作によって、カプセル剤８３が破損し、内部の粉末薬剤がこぼれる若しくは飛散するといった事態は発生しない。
【００６９】
この後、破断片８２ａを挟持した状態（ただし、この時点では必ずしも挟持している必要はない）で２つに折り畳まれた第１開封補助片７３１と第２開封補助片７３２とをさらに開封板７の表面に接近するように（重なるように）折り曲げる（図１７Ａ，図１７Ｂ参照）。
【００７０】
これにより、収容凸部８１ａの開口部が開放されて収容凸部８１ａ内のカプセル剤８３が露出するので、カプセル剤８３を破損することなく容易に取り出すことができる。
【００７１】
−実施形態２−
図１８は、本発明の実施形態２に係るＰＴＰシート用包装体１０を展開した状態の展開シートＳの平面図である。
【００７２】
この展開シートＳは、ＰＴＰシート８０を保持する保持板３、保護板１、開封板７、差込板９等を備えて構成されている。
【００７３】
実施形態２に係るＰＴＰシート用包装体１０は、図２Ｂに示すＰＴＰシート８０を包装するＰＴＰシート用包装体である。すなわち、ＰＴＰシート８０の収容凸部８１ａが２例３行になっている。そのため、保持板３に形成される保持穴３ａが２列３行の６つ形成されており、開封板７に形成される押し込み部７２が２列３行の６つ形成されている以外は、実施形態１に係る展開シートＳの構成とほぼ同じである。ただし、保持板３、保護板１、開封板７、及び差込板９の幅については、包装するＰＴＰシート８０の幅に合わせて幅広になっている。このように、実施形態２に係るＰＴＰシート用包装体１０の展開シートＳと実施形態１に係るＰＴＰシート用包装体１０の展開シートＳとは、その構成部材の多くが共通しているため、共通する部材には同じ符号を付して詳細な説明を省略し、ここでは相違する点のみを説明する。
【００７４】
第１の相違点は、実施形態１では、第４折線Ｄに糊代片５が直接連接されているが、実施形態２では、第４折線Ｄの横方向の縁部に補強板４ａが連接されており、補強板４ａの横方向の縁部に第９折線Ｄ１を介して補強用リブ片４ｂが連接され、補強用リブ片４ｂの横方向の縁部に第１０折線Ｄ２を介して糊代片５が連接されている点である。
【００７５】
また、第２の相違点は、実施形態１では、保護板１に差込孔１１が形成され、開封板７に連接された差込板９に差込片９１を形成しているが、実施形態２では、差込板９に差込孔９２が形成され、保護板１に差込片１３が形成されている点である。
【００７６】
すなわち、実施形態２に係る展開シートＳは、上記相違点１，２と、保持穴３ａ及び押し込み部７２の形成数が異なる以外の構成については、実施形態１の展開シートＳと同じである。
【００７７】
このような構成の展開シートＳでは、ＰＴＰシート用包装体１０の組立手順が実施形態１の場合と異なっている。以下、実施形態２に係る展開シートＳの組立手順について図１９乃至図２１を参照して説明する。
【００７８】
実施形態２に係るＰＴＰシート用包装体１０では、図１８に示す展開シートＳの状態から、まず、第９折線Ｄ１及び第１０折線Ｄ２を略９０度内折りして糊代片５を補強板４ａ上に対峙させ、その状態で、第３折線Ｃ及び第４折線Ｄを略９０度内折りして補強板４ａを保持板３上に対峙させる（図１９参照）。このとき、糊代片５は、補強用リブ片４ｂを垂直に立てた状態で保持板３上に載置されるので、糊代片５を保持板３に糊等の接着材で接着固定する。これにより、補強板４ａが第２側板４と補強用リブ片４ｂとによって保持板３に平行に支持固定される。
【００７９】
次に、この状態から、第１折線Ａ及び第２折線Ｂを略９０度内折りして保持板３を保護板１上に対峙させる（図２０参照）。このとき、補強板４ａは、保護板１上に載置されるので、補強板４ａを保護板１に糊等の接着材で接着固定する。これにより、保護板１、第１側板２、保持板３、及び第２側板４によって扁平で四角い筒形状のＰＴＰシート保持体部１０ａが形成される。このとき、図２１に示すように、保護板１と保持板３との間には、幅方向の中央部に長手方向に沿って補強用リブ片４ｂが配置されているので、保護板１を保持板３側に押すような力が働いたとしても、ＰＴＰシート８０の収容凸部８１ａを収容する空間部が容易に押し潰されることはない。
【００８０】
その後の包装手順は、実施形態１の図６乃至図１３を参照して説明した包装手順と同じであるので、ここでは説明を省略する。ただし、上記したように、実施形態２では、差込板９に差込孔９２が形成され、保護板１に差込片１３が形成されているので、その差し込み作業は実施形態１の場合とは逆になる。
【００８１】
なお、上記実施形態では、開封補助片７３に引掛片７５を設けているが、この引掛片７５は必ずしも必要なものではない。
【００８２】
また、上記実施形態では、押し込み部７２を開封補助片７３と開口部７４とで構成しているが、開口部７４は必ずしも必要なものではない。すなわち、この開口部７４も開封補助片７３の第１開封補助片７３１で閉塞されている構成であってもよい。
【００８３】
また、上記実施形態では、開封板７と保持板３との接合は、開封板７に形成された係合片７１を保持板３に形成された係合穴３１に差し込んで係合する構造（図７乃至図１１参照）としているが、このような係合構造ではなく、単純に、開封板７と保持板３との接合面の全体若しくは複数箇所に接着材を塗布して、接着接合する構造としてもよい。この場合には、開封板７の係合片７１や副折線Ｆ１、保持板３の係合穴３１等は不要となり、展開シートＳ自体の構造もより単純化することができる。また、単純な接着工程で接合できるため、図７乃至図１１に示すような差込工程が不要となり、ＰＴＰシート用包装体１０の組立手順も簡素化されることになる。
【００８４】
また、上記実施形態では、開封板７に形成された開封補助片７３を縦方向（より具体的には、縦長の開封板７において上下方向）に押し込んで開封する構成としているが、開封方向は縦方向に限らず、横方向（左右方向）であってもよい。この場合、図示は省略しているが、押し込み部７２である開封補助片７３及び開口部７４を例えば図１に示す状態から左右いずれかの方向に９０度回転させた状態で開封板７に形成し、保持板３の保持穴３ａも９０度回転させた状態で形成し、さらに、ＰＴＰシート８０の収容凸部８１ａも図２Ａ及び図２Ｂに示す状態から９０度回転させた状態で形成する。これにより、開封補助片７３を横方向、すなわち左右いずれかの方向に押し込んで開封することが可能となる。
【００８５】
なお、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００８６】
１  保護板
１１  差込孔
１１ａ  切込線（スリット）
１２  係止片
２  第１側板
３  保持板
３ａ  保持穴
３１  係合穴
３２  フラップ片
４  第２側板
５  糊代片
６  第３側板
７  開封板
７１  係合片
７１ａ  補強リブ
７２  押し込み部
７３  開封補助片
７４  開口部
７５  引掛片
７３１  第１開封補助片
７３２  第２開封補助片
８  第４側板
９  差込板
９１  差込片
１０  ＰＴＰシート用包装体
１０ａ  ＰＴＰシート保持体部
８０  ＰＴＰシート
８１  収容シート
８１ａ  収容凸部
８２  被覆シート
８３  カプセル剤
Ｆ  第６折線（主折線）
Ｆ１  副折線
Ｓ  展開シート
【図１】
2018062354.tif 000003
【図２Ａ】
2018062354.tif 000004
【図２Ｂ】
2018062354.tif 000005
【図３】
2018062354.tif 000006
【図４】
2018062354.tif 000007
【図５】
2018062354.tif 000008
【図６】
2018062354.tif 000009
【図７】
2018062354.tif 000010
【図８】
2018062354.tif 000011
【図９】
2018062354.tif 000012
【図１０】
2018062354.tif 000013
【図１１】
2018062354.tif 000014
【図１２】
2018062354.tif 000015
【図１３】
2018062354.tif 000016
【図１４】
2018062354.tif 000017
【図１５Ａ】
2018062354.tif 000018
【図１５Ｂ】
2018062354.tif 000019
【図１６Ａ】
2018062354.tif 000020
【図１６Ｂ】
2018062354.tif 000021
【図１７Ａ】
2018062354.tif 000022
【図１７Ｂ】
2018062354.tif 000023
【図１８】
2018062354.tif 000024
【図１９】
2018062354.tif 000025
【図２０】
2018062354.tif 000026
【図２１】
2018062354.tif 000027